(57)【要約】【課題】トップハンドル式などの携帯型のチェーンソーにおいて、高所の枝払い作業を行う場合にも作業者の手首や腕の疲労を軽減することができると共に、様々な作業への対応性を向上させることができる。【解決手段】チェーンソーのソーチェーン１１を摺動自在に案内するガイドバー１０であって、長手方向に沿った中心軸Ｌ１上にチェーンソー本体に装着される位置決め部材２１が嵌入する長孔１２を備え、長孔１２は、チェーンソーのチェーン張り調整機構によってソーチェーン１１の張りを保った状態でガイドバーの傾斜角度調整を行う傾斜角度調整孔部１２Ｂを備える。【選択図】図１
2012213914.tif 000002
【特許請求の範囲】
【請求項１】
チェーンソーのソーチェーンを摺動自在に案内するガイドバー（１０）であって、
長手方向に沿った中心軸（Ｌ１）上にチェーンソー本体に装着される位置決め部材が嵌入する長孔（１２）を備え、
該長孔（１２）は、チェーンソーのチェーン張り調整機構によってソーチェーンの張りを保った状態で当該ガイドバーの傾斜角度調整を行う傾斜角度調整孔部（１２Ｂ）を備えることを特徴とするチェーンソーのガイドバー。
【請求項２】
前記傾斜角度調整孔部（１２Ｂ）は、前記長孔（１２）における直線状孔部（１２Ａ）の後方に設けられ、当該直線状孔部（１２Ａ）の孔幅に対して拡幅された孔幅部を有することを特徴とする請求項１に記載されたチェーンソーのガイドバー。
【請求項３】
前記傾斜角度調整孔部（１２Ｂ）は、先端側に、チェーンソー本体に装着される位置決め部材が係合することで当該ガイドバーを下向きに傾斜させる係合部分（１２Ｂ１，１２Ｂ２）を備えることを特徴とする請求項１又は２に記載されたチェーンソーのガイドバー。
【請求項４】
前記中心軸（Ｌ１）から離間する位置にチェーン張り調整機構の係合部材が係合する係合孔（１３）を備えることを特徴とする請求項１〜３のいずれかに記載されたチェーンソーのガイドバー。
【請求項５】
前記傾斜角度調整孔部（１２Ｂ）は、先端側に、チェーンソー本体に装着される第１位置決め部材が係合することで当該ガイドバーを下向きに傾斜させる第１係合部分（１２Ｂ１）を備え、後方側に、チェーンソー本体に装着される第２位置決め部材が係合することで当該ガイドバーを上向きに傾斜させる第２係合部分（１２Ｂ２）を備えることを特徴とする請求項１又は２に記載されたチェーンソーのガイドバー。
【請求項６】
前記中心軸（Ｌ１）から離間する位置であって、前記中心軸（Ｌ１）に対して前記傾斜角度調整孔部（１２Ｂ）が設けられる側と逆側の位置にチェーン張り調整機構の係合部材が係合する係合孔（１３）を備えることを特徴とする請求項５に記載されたチェーンソーのガイドバー。
【請求項７】
前記傾斜角度調整孔部（１２Ｂ）を前記中心軸に対して少なくとも片側に一カ所設け、前記係合孔（１３）を前記中心軸に対して対称に一対設けたことを特徴とする請求項６に記載されたチェーンソーのガイドバー。
【請求項８】
位置決め部材（２１）が装着されるチェーンソー本体（２０）と、
前記チェーンソー本体（２０）に装着され、前記位置決め部材（２１）が嵌入する長孔（１２）を中心軸（Ｌ１）に沿って備えるガイドバー（１０）と、
前記ガイドバー（１０）に摺動自在に案内されるソーチェーン（１１）と、
前記ガイドバー（１０）をその長手方向に沿って移動させることで前記ソーチェーンの張りを調整するチェーン張り調整機構（４０）とを備え、
前記ガイドバーの長孔（１２）は、前記チェーン張り調整機構（４０）によって前記ソーチェーン（１１）の張りを保った状態で当該ガイドバー（１０）の傾斜角度調整を行う傾斜角度調整孔部（１２Ｂ）を備えることを特徴とするチェーンソー（１）。
【請求項９】
前記位置決め部材（２１）は、前記ガイドバー（１０）の先端側に位置する第１位置決め部材（２１Ａ）と後方側に位置する第２位置決め部材（２１Ｂ）を備え、
前記傾斜角度調整孔部（１２Ｂ）は、先端側に、前記第１位置決め部材（２１Ａ）が係合することで前記ガイドバー（１０）を下向きに傾斜させる第１係合部分（１２Ｂ１）を備え、後方側に、前記第２位置決め部材（２１Ｂ）が係合することで前記ガイドバー（１０）を上向きに傾斜させる第２係合部分（１２Ｂ２）を備えることを特徴とする請求項８に記載のチェーンソー（１）。
【請求項１０】
前記ガイドバー（１０）は前記チェーン張り調整機構（４０）の係合部材（４５）に係合する係合孔（１３）を備え、
前記チェーン張り調整機構（４０）の係合部材（４５）を前記ガイドバー（１０）の長手方向に沿って先端側に移動させることで、前記第１位置決め部材（２１Ａ）が前記第１係合部分（１２Ｂ１）に係合し、更に前記係合部材（４５）を先端側に移動させることで、前記第２位置決め部材（２１Ｂ）が前記第２係合部分（１２Ｂ２）に係合することを特徴とする請求項９記載のチェーンソー（１）。
【請求項１１】
前記チェーンソー本体（２０）は上部にハンドル（２５）を備えるトップハンドル式であることを特徴とする請求項８〜１０のいずれかに記載のチェーンソー（１）。
【発明の詳細な説明】
【技術分野】
【０００１】
本発明は、木材の伐採、切断等に使用されるチェーンソーのガイドバー及びガイドバーの傾斜角度調整機能を備えたチェーンソーに関するものである。
【背景技術】
【０００２】
一般に、チェーンソーのガイドバーは、チェーンソー本体に対して着脱自在に装着され、チェーンソー本体の駆動軸に装備されるスプロケットに掛け回されたソーチェーンを摺動自在に案内し、このソーチェーンに必要なテンションを付与した状態でチェーンソー本体に固定される。チェーンソー本体にガイドバーを固定するには、チェーンソー本体の側方に装着されたスタッドボルトにガイドバーの基端部に形成された長孔を嵌入した後、スプロケットやガイドバーの基端部を覆うサイドカバーのガード部に設けられた装着孔をこのスタッドボルトに嵌入させ、このガード部の外側からスタッドボルトにナットを螺合して、ナットの締め付けによりガード部をチェーンソー本体側に押し付け、ガード部とチェーンソー本体とでガイドバーの基端部を挟持して固定している。
【０００３】
また、従来のチェーンソーには、ソーチェーンに適正なテンションを付与するチェーン張り調整機構を備えるものがある。このチェーン張り調整機構は、例えば下記特許文献１に記載されるように、ガイドバーの長手方向に沿って配設されたねじ部を有するねじ棒部材と、このねじ棒部材のねじ部に螺合されると共にガイドバーの係合孔に係合される係合部材とを備え、ガイドバーをチェーンソー本体に固定するナットを緩めた後、ねじ棒部材を工具で回して係合部材をねじ棒部材の軸線方向に沿って移動させ、これに係合されたガイドバーをスプロケットから離れる向きに移動させるものである。
【先行技術文献】
【特許文献】
【０００４】
【特許文献１】実公平８−８０８２号公報
【発明の概要】
【発明が解決しようとする課題】
【０００５】
携帯型のチェーンソーとしては、ハンドルが機体の上部に設けられたトップハンドル式のチェーンソーが知られている。このチェーンソーは比較的小型である特性から、様々な作業に用いられる。
【０００６】
一般的に、腕を押し下げて作業する場合などは、ガイドバーがチェーンソー本体に対してハンドルの前後方向に略平行な状態で装着されている方が作業をし易く、ソーチェーンの背側（上側）を使って枝打ちをする場合などは、チェーンソー本体に対してガイドバーが上向きに装着されていた方が作業をし易い。更にまた、高所での木の枝払い作業や街路樹等の剪定作業などにおいては、ガイドバーがチェーンソー本体に対して、下向きに傾斜させて装着されている方が作業をし易い。したがって、固定的にガイドバーをチェーンソー本体に対して傾斜させて装着させると様々な作業への対応性に問題が生じ、また、その為に、作業者の手首や腕の疲労が大きくなる問題も生じる。
【０００７】
これらを解消する技術として、スタッドボルトなどの位置決め部材が嵌入するガイドバーの長孔の幅に余裕を持たせて、ガイドバーの傾斜角度を任意に調整できるようにすることも考えられるが、ソーチェーンの張りを保った状態でガイドバーの傾斜角度調整を行うことは難しく、ソーチェーンの張り調整とガイドバーの傾斜角度の調整を別に行う煩雑さが生じる。
【０００８】
本発明は、このような問題に対処することを課題の一例とするものである。すなわち、トップハンドル式などの携帯型のチェーンソーにおいて、作業者の手首や腕の疲労を軽減することができること、ガイドバーの傾斜角度を調整可能にすることで、様々な作業への対応性を向上させることができること、ガイドバーの傾斜角度を調整する際にもソーチェーンの張りを維持することができること、ガイドバーに案内されたソーチェーンの下側（腹側）と上側（背側）の両方を状況に応じて使い分ける場合にも、作業状況に応じたガイドバーの傾斜角度の調整が可能であることなどが、本発明の目的である。
【課題を解決するための手段】
【０００９】
このような目的を達成するために、本発明によるチェーンソーのガイドバー及びこのガイドバーを備えたチェーンソーは、以下の構成を少なくとも具備するものである。
【００１０】
チェーンソーのソーチェーンを摺動自在に案内するガイドバーであって、長手方向に沿った中心軸上にチェーンソー本体に装着される位置決め部材が嵌入する長孔を備え、該長孔は、チェーンソーのチェーン張り調整機構によってソーチェーンの張りを保った状態で当該ガイドバーの傾斜角度調整を行う傾斜角度調整孔部を備えることを特徴とするチェーンソーのガイドバー。
【００１１】
位置決め部材が装着されるチェーンソー本体と、前記チェーンソー本体に装着され、前記位置決め部材が嵌入する長孔を中心軸に沿って備えるガイドバーと、前記ガイドバーに摺動自在に案内されるソーチェーンと、前記ガイドバーをその長手方向に沿って移動させることで前記ソーチェーンの張りを調整するチェーン張り調整機構とを備え、前記ガイドバーの長孔は、前記チェーン張り調整機構によって前記ソーチェーンの張りを保った状態で当該ガイドバーの傾斜角度調整を行う傾斜角度調整孔部を備えることを特徴とするチェーンソー。
【発明の効果】
【００１２】
このような特徴を有するガイドバー又はチェーンソーは、チェーン張り調整機構を備える既存のチェーンソー本体にこのガイドバーを装着することで、チェーン張り調整機構の調整操作によってガイドバーの傾斜角度を任意に調整することが可能になる。これにより、チェーンソー本体の基準軸方向に沿ってガイドバーを装着する状態とチェーンソー本体の基準軸方向に対してガイドバーを上方又は下方へ傾斜させて装着する状態とを選択的に切り換えることができ、また、その際の傾斜角度を任意に調整することができる。これによって、トップハンドル式などの携帯型のチェーンソーにおいて、作業に応じてガイドバーをチェーンソー本体に対して傾斜させることで、作業者の手首や腕の疲労を軽減することができると共に、様々な作業への対応性を向上させることができる。また、作業状況に応じたガイドバーの傾斜角度の調整をソーチェーンの張りを保ったままで簡易に行うことができる。
【図面の簡単な説明】
【００１３】
【図１】本発明の実施形態に係るガイドバーを示した説明図であり、図１（ａ）が全体図、図１（ｂ）が要部説明図、図１（ｃ）は別の実施形態に係るガイドバーの要部説明図である。
【図２】本発明の実施形態に係るガイドバーの機能を説明する説明図である。
【図３】本発明の実施形態に係るチェーンソーの一構成例（トップハンドル式チェーンソー）を示した説明図である。
【図４】チェーン張り調整機構の一例を示す説明図であり、図３におけるＸ−Ｘ断面図を示している。
【発明を実施するための形態】
【００１４】
以下、図面を参照しながら本発明の実施形態を説明する。以下の説明及び請求の範囲の記載では、ガイドバーの長手方向に対して、チェーンソー本体に装着される側を後方（又は後方側）といい、非装着側（自由端側）を先端（又は先端側）という。また、ガイドバーの長手方向と交差する方向の一方を上（又は上側）といい、ガイドバーの長手方向と交差する方向の他方を下（又は下側）という。なお、以下の各図面の符号は、共通する部位には同一符号を付して重複説明を一部省略する。
【００１５】
図１は本発明の実施形態に係るガイドバーを示した説明図であり、図１（ａ）が全体図、図１（ｂ）が要部説明図、図１（ｃ）は別の実施形態に係るガイドバーの要部説明図である。
【００１６】
ガイドバー１０は、図示省略のチェーンソー本体に装着されて、チェーンソー本体の駆動軸に装備されるスプロケットに掛け回された無端のソーチェーン１１を摺動自在に案内するものであり、その周囲にはソーチェーン１１を案内する案内溝１０Ａを備えている。
【００１７】
このガイドバー１０は、長手方向に沿った中心軸Ｌ１上にチェーンソー本体に装着される位置決め部材２１が嵌入する長孔１２を備える。図示の例では、２本の位置決め部材２１（第１位置決め部材２１Ａと第２位置決め部材２１Ｂ）が長孔１２に嵌入する例を示している。この位置決め部材２１は、ガイドバー１０を挟持して固定するためのスタッドボルトによって兼用することができる。また、スタットボルトが１本だけの機種では、スタッドボルトとは別に２本の位置決め部材２１が設けられる。また、ガイドバー１０は、中心軸Ｌ１から離間する位置に既存のチェーンソー本体に装備されるチェーン張り調整機構の係合部材が係合する係合孔１３を備え、外周付近にはチェーンオイル吐出孔１４を備える。
【００１８】
この長孔１２は、中心軸Ｌ１に沿ってほぼ一定の孔幅ｔ１の直線状孔部１２Ａを備えると共に、この直線状孔部１２Ａの孔幅ｔ１に対して拡幅された孔幅部ｔ２（ｔ２は一定に限らない）を有する傾斜角度調整孔部１２Ｂを備える。直線状孔部１２Ａは長孔１２の先端側に備えられ、傾斜角度調整孔部１２Ｂはその後方に備えられる。直線状孔部１２Ａの中心軸Ｌ１に沿った長さは、既存のチェーンソー本体に装備されるチェーン張り調整機構によってソーチェーン１１に適正な張りを付与するのに十分な長さが確保されている。
【００１９】
傾斜角度調整孔部１２Ｂは、既存のチェーンソー本体に装備されるチェーン張り調整機構によってソーチェーン１１の張りを保った状態でガイドバー１０の傾斜角度調整を行うことができるように設計された孔部であって、長孔１２の一部に形成されている。また、傾斜角度調整孔部１２Ｂは、先端側に、第１位置決め部材２１Ａが係合することでガイドバー１０を下向きに傾斜させる第１係合部分１２Ｂ１を備え、後方側に、第２位置決め部材２１Ｂが係合することでガイドバー１０を上向きに傾斜させる第２係合部分１２Ｂ２を備える。ここで、第１位置決め部材２１Ａは２本の位置決め部材２１のうちチェーンソー本体の先端側に装着されるものであり、第２位置決め部材２１Ｂは２本の位置決め部材２１のうちチェーンソー本体の後方側に装着されるものである。
【００２０】
図１（ｂ）に示した例は、ガイドバー１０の中心軸Ｌ１に対して上側にのみ傾斜角度調整孔部１２Ｂが設けられている。この例では、チェーン張り調整機構の係合部材が係合する係合孔１３は、中心軸Ｌ１から離間する位置であって、中心軸Ｌ１に対して傾斜角度調整孔部１２Ｂが設けられる側と逆側（下側）の位置に設けられる。
【００２１】
図１（ｃ）に示した例は、ガイドバー１０の中心軸Ｌ１に対して上下対称に傾斜角度調整孔部１２Ｂ、係合孔１３、チェーンオイル吐出孔１４をそれぞれ一対設けている。図１（ｃ）の例は、上下反転させても前述したように角度調整機能が得られるようにしたものである。
【００２２】
図２は、本発明の実施形態に係るガイドバーの機能を説明する説明図である。ガイドバー１０は、既存のチェーン張り調整機構を備えたチェーンソー本体に装着され、チェーン張り調整機構の調整操作によってガイドバー１０の傾斜角度を任意に調整することができる。ここでは、２本の位置決め部材２１（第１位置決め部材２１Ａと第２位置決め部材２１Ｂ）を備えたチェーンソー本体に図１（ｂ）に示したガイドバー１０を装着する例を示しており、第１位置決め部材２１Ａと第２位置決め部材２１Ｂがガイドバー１０の長孔１２に嵌入している。既存のチェーン張り調整機構を含むチェーンソー本体の構造については後述するとおりであるが、チェーンソー本体の基準軸Ｌ２を２本の位置決め部材２１の中心を通る軸とすると、チェーン張り調整機構のチェーン張り操作によるガイドバー１０の移動によって、係合孔１３は基準軸Ｌ２と平行の調整軸Ｌ３に沿って移動する。
【００２３】
図２（ａ）は長孔１２の先端位置に第１位置決め部材２１Ａが位置する状態を示している。この状態はチェーンソー本体に装着するガイドバー１０を最もチェーンソー本体のスプロケットに近づけた状態であり、この状態でガイドバー１０の周囲にソーチェーン（図示省略）を巻き掛ける。
【００２４】
図２（ｂ）は、チェーン張り調整機構によってガイドバー１０を移動させ、係合孔１３を距離Ｘ１だけ先端側に移動させた状態を示している。図示のように、第１位置決め部材２１Ａが長孔１２の直線状孔部１２Ａに位置する段階では、ガイドバー１０はチェーンソー本体の基準軸Ｌ２に沿って先端側に移動し、直線状孔部１２Ａの後端位置でソーチェーンには適正な張りが付与される。この段階でガイドバー１０をチェーンソー本体に固定すると、ガイドバー１０はその中心軸Ｌ１がチェーンソー本体の基準軸Ｌ２と一致した状態でチェーンソー本体に装着される。
【００２５】
図２（ｃ）は、チェーン張り調整機構によって更にガイドバー１０を先端側に移動させ、係合孔１３を距離Ｘ２（＞Ｘ１）だけ先端側に移動させた状態を示している。第１位置決め部材２１Ａが長孔１２の直線状孔部１２Ａの範囲から外れると、ガイドバー１０は、その自重とソーチェーンの張力によって先端が下向きに傾斜し、図示のように第１位置決め部材２１Ａが傾斜角度調整孔部１２Ｂの第１係合部分１２Ｂ１に係合された状態で支持される。第１係合部分１２Ｂ１を所望の位置及び形状に設定することで、ガイドバー１０は設定範囲内の任意の角度で支持される。
【００２６】
すなわち、図２（ｂ）における係合孔１３の距離Ｘ１を徐々に大きくして第１位置決め部材２１Ａが直線状孔部１２Ａから外れたところでチェーンソー本体の基準軸Ｌ２に対してガイドバー１０の中心軸Ｌ１の傾斜が始まり、図２（ｃ）における距離Ｘ２を任意に調整することでチェーンソー本体の基準軸Ｌ２に対するガイドバー１０の中心軸Ｌ１の角度α１を任意に設定することができる。図２（ｃ）に示す状態ではソーチェーンは常に張られた状態になっているので、ガイドバー１０の傾斜角度調整はソーチェーンの張りを保った状態で行うことができる。
【００２７】
図２（ｄ）は、チェーン張り調整機構によって更にガイドバー１０を先端側に移動させ、係合孔１３を距離Ｘ３（＞Ｘ２）だけ先端側に移動させた状態を示している。この状態ではソーチェーンの張力がガイドバーを水平に保持するのに必要な張力以上に加わり、この張力によって、ガイドバー１０の先端を持ち上げる。
【００２８】
図２（ｅ）は、チェーン張り調整機構によって更にガイドバー１０を先端側に移動させ、係合孔１３を距離Ｘ４（＞Ｘ３）だけ先端側に移動させた状態を示している。図２（ｄ）に示す状態から更にソーチェーンの張力を増すとこの張力によってガイドバー１０は先端が上向きに傾斜し、図示のように第２位置決め部材２１Ｂが傾斜角度調整孔部１２Ｂの第２係合部分１２Ｂ２に係合された状態で支持される。第２係合部分１２Ｂ２を所望の位置及び形状にすることで、ガイドバー１０は設定範囲内の任意の角度で支持される。
【００２９】
すなわち、図２（ｅ）における距離Ｘ４を任意に調整することでチェーンソー本体の基準軸Ｌ２に対するガイドバー１０の中心軸Ｌ１の角度α２を任意に設定することができる。図２（ｅ）に示す状態ではソーチェーンは常に張られた状態になっているので、ガイドバー１０の傾斜角度調整はソーチェーンの張りを保った状態で行うことができる。
【００３０】
図３は、本発明の実施形態に係るチェーンソーの一構成例（トップハンドル式チェーンソー）を示した説明図である。チェーンソー１は、チェーンソー本体２０に前述したガイドバー１０が装着され、ガイドバー１０にソーチェーン１１が掛け回されて摺動自在に案内されている。チェーンソー本体２０には、ソーチェーン１１を回転駆動するための原動機としてのエンジン（例えば空冷２サイクルガソリンエンジン）２２（詳細図示省略）が搭載され、エンジン２２の始動用のリコイルスタータハンドル２３が後方斜め上に向けて配在されている。また、チェーンソー本体２０の前部には、ハンドプロテクトガード２４が配設されている。図示の例では、前述した位置決め部材２１を２本のスタッドボルトによって兼用している。
【００３１】
チェーンソー本体２０は上部から後部にかけてハンドル（トップハンドル）２５を備える。ハンドル２５は、チェーンソー本体２０の上部に沿うように前後方向に伸びるトップグリップ部２５Ａと、このトップグリップ部２５Ａからチェーンソー本体２０の後側に延設された後側連結部２５Ｂとからなる。ハンドル２５のトップグリップ部２５Ａには、エンジン停止スイッチ２６、スロットルコントロールロックアウト２７、スロットルトリガ２８が設けられている。また、後側連結部２５Ｂには、着脱用つまみ２９Ａ付きのエアークリーナカバー２９が着脱自在に取り付けられている。
【００３２】
チェーンソー本体２０には前述した位置決め部材２１（２１Ａ，２１Ｂ）が装着され、スタッドボルトを兼用する位置決め部材２１（２１Ａ，２１Ｂ）に螺合するナット３０，３０を締め付けることで、ガイドバー１０がチェーンソー本体２０に装着される。また、チェーンソー本体２０側面のサイドケース２０Ａには、チェーン張り調整機構の調整操作部４１が配備されている。チェーン張り調整機構自体は既知のものであって、チェーンソー本体２０の基準軸Ｌ２に沿ってガイドバー１０の係合孔１３に係合する係合部材を移動させるものであればどのような機構であってもよい。例えば、実公平８−８０８２号公報、特開平１０−２８６８０２号公報に記載されるような機構を採用することができる。
【００３３】
図４は、チェーン張り調整機構の一例を示す説明図であり、図３におけるＸ−Ｘ断面図を示している。チェーン張り調整機構４０は、チェーンソー本体２０のサイドケース２０Ａ内に装備される。サイドケース２０Ａは、チェーンソー本体２０側から突出するスタッドボルトを兼用する位置決め部材２１が挿通する孔を有し、その孔に位置決め部材（スタッドボルト）２１を挿通して、チェーンソー本体２０の装着面２０Ｂとでガイドバー１０を挟持している。このサイドケース２０Ａには、ねじ棒部材４２が回転可能に支持されている。ねじ棒部材４２はガイドバー１０と略平行の前述した調整軸Ｌ３に沿って配置されている。このねじ棒部材４２の頭部４２Ａはサイドケース２０Ａの外側に配置されて回転操作可能になっており、また、ねじ棒部材４２の端部には傘歯車４３，４４を介して調整操作部４１が連結しており、この調整操作部４１によってもねじ棒部材４２を回転操作できるようになっている。ねじ棒部材４２のねじ部４２Ｂには係合部材４５が螺合している。係合部材４５は、ねじ棒部材４２の回転によって係合部材４５自身の回転は阻止されつつ、ねじ棒部材４２に沿って移動する。係合部材４５の係合部４５Ａはガイドバー１０の係合孔１３に係合している。このような機構により、ねじ棒部材４２の頭部４２Ａ又は調整操作部４１を回転操作することで、係合部材４５が調整軸Ｌ３に沿って移動し、係合部材４５に係合するガイドバー１０の係合孔１３がチェーンソー本体２０の基準軸Ｌ２に沿って移動する。
【００３４】
チェーン張り調整機構４０の操作は、スタッドボルトを兼用する位置決め部材２１にガイドバー１０の長孔１２を嵌入して、ガイドバー１０にソーチェーン１１を巻き掛けた後、サイドケース２０Ａとチェーンソー本体２０の装着面２０Ｂとでガイドバー１０を挟持した状態で、ナット３０を緩めて行う。
【００３５】
ねじ棒部材４２の頭部４２Ａ又は調整操作部４１を回転操作すると、チェーン張り調整機構４０の係合部材４５がガイドバー１０の長手方向に沿って先端側に移動する。この際、ガイドバー１０の長孔１２における直線状孔部１２Ａに第１位置決め部材２１Ａが嵌入している間はチェーンソー本体２０の基準軸Ｌ２に沿ってガイドバー１０を移動させ、ソーチェーン１１に所望の張りが加えられる。
【００３６】
そして、更に先端側に係合部材４５を移動させ、第１位置決め部材２１Ａがガイドバー１０の第１係合部分１２Ｂ１に係合した状態になると、ガイドバー１０は先端が下向きに傾斜した状態になる。また、更に係合部材４５を先端側に移動させて、第２位置決め部材２１Ｂがガイドバー１０の第２係合部分１２Ｂ２に係合する状態になると、ガイドバー１０は先端が上向きに傾斜した状態になる。ガイドバー１０が所望の状態になったところで、ナット３０を締め付ければ、所望の状態でガイドバー１０をチェーンソー本体２０に装着固定することができる。
【００３７】
このような特徴を有するガイドバー１０又はこのガイドバー１０を備えたチェーンソー１によると、例えば、高所での枝払い作業を行う場合には、ガイドバー１０の先端を下方に傾斜させて装着することで、作業者の手首や腕の疲労を軽減することが可能になる。また、チェーンソー１の使用形態によって、ガイドバー１０の向きがハンドルと平行又は上向きの方が使い勝手が良い場合には、チェーン張り調整機構４０の操作によってガイドバー１０の向きを簡単に変えることができる。これによって、様々な作業への対応性を高めることができる。
【００３８】
また、ガイドバー１０の傾斜角度を調整する際にソーチェーン１１の張りを維持することができるので、ソーチェーン１１の張り調整とガイドバー１０の傾斜角度の調整を別に行う煩雑さがなく、簡易にガイドバー１０の傾斜角度調整を行うことができる。
【００３９】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【符号の説明】
【００４０】
１：チェーンソー，１０：ガイドバー，１１：ソーチェーン，
１２：長孔，１２Ａ：直線状孔部，１２Ｂ：傾斜角度調整孔部，
１２Ｂ１：第１係合部分，１２Ｂ２：第２係合部分，１３：係合孔，
２０：チェーンソー本体，２１：位置決め部材（スタッドボルト），
２１Ａ：第１位置決め部材，２１Ｂ：第２位置決め部材，
４０：チェーン張り調整機構，４５：係合部材，
Ｌ１：中心軸，Ｌ２：基準軸，Ｌ３：調整軸
【図１】
2012213914.tif 000003
【図２】
2012213914.tif 000004
【図３】
2012213914.tif 000005
【図４】
2012213914.tif 000006